(57)【要約】【課題】低コスト化を図る。【解決手段】連結液晶表示装置５０は、互いに隣り合うよう並んでいて複数ずつの固定部３１が設けられる複数の液晶表示装置１０と、隣り合う液晶表示装置１０に跨る形で配されて隣り合う液晶表示装置１０を連結する連結部品５１と、固定部３１に対して固定されることで隣り合う液晶表示装置１０と連結部品５１とを保持する複数の保持部品５２と、を備えており、複数ずつの固定部３１は、それぞれの液晶表示装置１０において中心１０Ｃを対称点とした点対称状に配されている。【選択図】図６
2019174717.tif 000002
【特許請求の範囲】
【請求項１】
互いに隣り合うよう並んでいて複数ずつの固定部が設けられる複数の表示装置と、
隣り合う前記表示装置に跨る形で配されて隣り合う前記表示装置を連結する連結部品と、
前記固定部に対して固定されることで隣り合う前記表示装置と前記連結部品とを保持する複数の保持部品と、を備える連結表示装置であって、
複数ずつの前記固定部は、それぞれの前記表示装置において中心を対称点とした点対称状に配されている連結表示装置。
【請求項２】
隣り合う前記表示装置と前記連結部品とには、互いに凹凸嵌合される表示装置側位置決め部と連結部品側位置決め部とがそれぞれ設けられており、
前記表示装置側位置決め部は、前記対称点に関して点対称状に複数配されている請求項１記載の連結表示装置。
【請求項３】
前記固定部及び前記表示装置側位置決め部は、前記表示装置における同じ部品に設けられている請求項２記載の連結表示装置。
【請求項４】
前記連結部品には、前記表示装置の並び方向と直交する並び直交方向に沿って延在する第１連結部品と、前記並び方向に沿って延在する第２連結部品と、の少なくとも一方が含まれる請求項１から請求項３のいずれか１項に記載の連結表示装置。
【請求項５】
前記連結部品には、前記第１連結部品と前記第２連結部品とが含まれる請求項４記載の連結表示装置。
【請求項６】
前記第１連結部品及び前記第２連結部品は、一部同士が重畳するよう配されており、
前記保持部品には、前記第１連結部品及び前記第２連結部品の重畳部分と前記表示装置とを保持する重畳保持部品が少なくとも含まれる請求項５記載の連結表示装置。
【請求項７】
前記第１連結部品及び前記第２連結部品は、一部同士が重畳するよう配されており、
前記保持部品には、前記第１連結部品及び前記第２連結部品の非重畳部分と前記表示装置とを保持する非重畳保持部品が少なくとも含まれる請求項５または請求項６記載の連結表示装置。
【請求項８】
前記第１連結部品と前記第２連結部品とには、互いに凹凸嵌合される第１連結部品側位置決め部と第２連結部品側位置決め部とがそれぞれ設けられている請求項５から請求項７のいずれか１項に記載の連結表示装置。
【請求項９】
前記連結部品には、少なくとも前記第２連結部品が含まれており、
前記第２連結部品は、前記表示装置における前記並び方向についての両端部と重畳するよう配される請求項４から請求項８のいずれか１項に記載の連結表示装置。
【請求項１０】
前記連結部品には、少なくとも前記第２連結部品が含まれており、
前記第２連結部品は、前記並び直交方向について離間した位置に一対配される請求項４から請求項９のいずれか１項に記載の連結表示装置。
【請求項１１】
一対の前記第２連結部品は、同一とされる請求項１０記載の連結表示装置。
【請求項１２】
隣り合う前記表示装置は、同一とされる請求項１から請求項１１のいずれか１項に記載の連結表示装置。
【発明の詳細な説明】
【技術分野】
【０００１】
本発明は、連結表示装置に関する。
【背景技術】
【０００２】
従来、多画面型の表示装置の一例として下記特許文献１に記載されたものが知られている。この特許文献１に記載された多画面表示装置は、画像を表示する表示部と表示部の外周を囲む枠部とを備えた表示装置を複数用い、夫々の表示装置の枠部同士を互いに近接させてなり、枠部の外周面には、外周面より表示部側に向け窪む凹部と、外周面より表示部側の反対側に向け突出する凸部と、が設けられ、互いに近接する表示装置の夫々の凹部と凸部とが互いに嵌合する構成とされることを特徴とする。
【先行技術文献】
【特許文献】
【０００３】
【特許文献１】特開２００９−２９４５７４号公報
【発明の概要】
【発明が解決しようとする課題】
【０００４】
上記した特許文献１に記載された多画面表示装置を構成する夫々の表示装置は、背面に固定用パネルが固定されており、夫々の固定用パネルが略梯子状の組み立て用架台に取り付けられることで、夫々の表示装置の連結が図られている。しかしながら、組み立て用架台に対して固定ネジによって固定される夫々の表示装置は、固定ネジによる固定箇所が夫々の表示装置の配置に応じて個別に設定されている。つまり、夫々の表示装置は、多画面表示装置における配置に応じた専用設計となっており、高コストとなっていた。また、略梯子状の組み立て用架台を製造するのも高コストであった。
【０００５】
本発明は上記のような事情に基づいて完成されたものであって、低コスト化を図ることを目的とする。
【課題を解決するための手段】
【０００６】
本発明の連結表示装置は、互いに隣り合うよう並んでいて複数ずつの固定部が設けられる複数の表示装置と、隣り合う前記表示装置に跨る形で配されて隣り合う前記表示装置を連結する連結部品と、前記固定部に対して固定されることで隣り合う前記表示装置と前記連結部品とを保持する複数の保持部品と、を備える連結表示装置であって、複数ずつの前記固定部は、それぞれの前記表示装置において中心を対称点とした点対称状に配されている。
【０００７】
このようにすれば、隣り合う複数の表示装置に画像が表示されるので、単独の表示装置での表示に比べると、大画面での表示が可能となる。隣り合う表示装置に設けられた複数ずつの固定部に複数の保持部品が固定されることで、隣り合う表示装置と隣り合う表示装置に跨る形で配される連結部品との保持が図られる。ここで、例えば表示装置の部品交換などを行う場合には、保持部品を取り外して連結部品による表示装置同士の連結状態を解除すればよく、利便性に優れる。そして、複数ずつの固定部は、それぞれの表示装置において中心を対称点とした点対称状に配されているから、例えば隣り合う表示装置のいずれか一方を他方に対して反転させても、隣り合う表示装置の各固定部に対して各保持部品を固定して連結部材の保持を図ることができる。従って、隣り合う表示装置において少なくとも固定部が設けられた部品を共通化することが可能となるので、低コスト化を図る上で好適となる。
【発明の効果】
【０００８】
本発明によれば、低コスト化を図ることができる。
【図面の簡単な説明】
【０００９】
【図１】本発明の実施形態１に係る液晶表示装置の平面図
【図２】液晶表示装置を短辺方向に沿って切断した断面図
【図３】液晶表示装置の背面図
【図４】液晶表示装置の電気的構成を表すブロック図
【図５】連結液晶表示装置の平面図
【図６】連結液晶表示装置の背面図
【図７】連結液晶表示装置における長辺方向についての中央部を示す背面図
【図８】図７のＡ−Ａ線断面図
【図９】図７のＢ−Ｂ線断面図
【図１０】図７のＣ−Ｃ線断面図
【図１１】隣り合う液晶表示装置に対して第１連結部品及び第２連結部品を取り付ける前の状態を示す背面図
【図１２】隣り合う液晶表示装置に対して第１連結部品を取り付けた状態を示す背面図
【図１３】本発明の実施形態２に係る連結液晶表示装置における中央部付近を拡大した背面図
【発明を実施するための形態】
【００１０】
＜実施形態１＞
本発明の実施形態１を図１から図１２によって説明する。本実施形態では、液晶表示装置（表示装置）１０を用いた連結液晶表示装置（連結表示装置）５０について例示する。なお、各図面の一部にはＸ軸、Ｙ軸及びＺ軸を示しており、各軸方向が各図面で示した方向となるように描かれている。また、図２，図８から図１０に示す上側を表側とし、同図下側を裏側とする。
【００１１】
先に液晶表示装置１０について説明する。液晶表示装置１０は、図１に示すように、全体として横長の略方形状をなしている。液晶表示装置１０は、図２及び図３に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。さらには、液晶表示装置１０は、液晶パネル１１及びバックライト装置１２の駆動を制御するためのコントロール基板（制御基板）１４を備える。液晶表示装置１０は、図１に示すように、液晶パネル１１における中央側部分が画像を表示する表示領域とされるのに対し、液晶パネル１１における外周側部分及びベゼル１３の全域が表示領域を取り囲むよう額縁状をなす非表示領域（額縁領域）とされる。
【００１２】
液晶パネル１１は、図２に示すように、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１３】
液晶パネル１１における端部には、図２に示すように、複数のパネル用フレキシブル基板（フレキシブル基板）１５の一端側が接続されている。パネル用フレキシブル基板１５には、図示しないドライバがＣＯＦ（Chip On Film）実装されており、このドライバは、内部に駆動回路を有するＬＳＩチップからなる。パネル用フレキシブル基板１５の他端側には、コントロール基板１４が接続されている。コントロール基板１４は、バックライト装置１２の裏側に配されている。従って、液晶パネル１１とコントロール基板１４とに接続されるパネル用フレキシブル基板１５は、折り返し状に屈曲（湾曲）されている。パネル用フレキシブル基板１５は、絶縁性及び可撓性を有する合成樹脂材料（例えばポリイミド系樹脂等）からなる基材を備え、その基材上に多数本の配線パターン（図示せず）を有している。コントロール基板１４は、パネル用フレキシブル基板１５に比べると高い剛性を有する（リジッドな）基材を備え、その基材の板面上に各種電子部品などが実装されている。上記したパネル用フレキシブル基板１５は、液晶パネル１１及びコントロール基板１４の双方に接続される「パネル接続部品」である。
【００１４】
バックライト装置１２は、図２に示すように、表側（液晶パネル１１側）に向けて開口する略箱型をなすシャーシ（同じ部品、筐体）１８と、シャーシ１８の開口を覆う形で配される光学部材（光学シート）１９と、光学部材１９を表側から支持するフレーム２０と、を備える。さらに、シャーシ１８内には、光源であるＬＥＤ（Light Emitting Diode：発光ダイオード）２１と、ＬＥＤ２１が実装されるＬＥＤ基板（光源基板）２２と、ＬＥＤ２１からの光を導光して光学部材１９（液晶パネル１１）へと導く導光板２３と、導光板２３の裏側に配置される反射シート２４と、が備えられる。そして、このバックライト装置１２は、その短辺方向（Ｙ軸方向）についての片方の端部にＬＥＤ２１が配されており、ＬＥＤ２１からの光が導光板２３に対して片側から入光される片側入光タイプのエッジライト型（サイドライト型）とされる。続いて、バックライト装置１２の各構成部品について詳しく説明する。
【００１５】
シャーシ１８は、金属製とされ、図２に示すように、液晶パネル１１と同様に横長の略方形状をなす底部１８Ａと、底部１８Ａの各辺の外端からそれぞれ立ち上がる側部１８Ｂと、からなる。底部１８Ａは、その長辺方向がＸ軸方向（水平方向）と一致し、短辺方向がＹ軸方向（鉛直方向）と一致している。底部１８Ａには、図３に示すように、Ｙ軸方向に沿って延在する一対の短辺側端部がそれぞれ所定幅にわたって裏側に突出することで一対の段部（被連結部、被取付部）１８Ｃが設けられている。段部１８Ｃは、底部１８Ａにおいて短辺方向に沿ってほぼ全長にわたって延在する形で設けられている。段部１８Ｃには、後述する連結部品５１が取り付けられるようになっている。また、各側部１８Ｂには、フレーム２０及びベゼル１３が固定可能とされる。
【００１６】
光学部材１９は、図２に示すように、シャーシ１８の開口を覆うとともに、液晶パネル１１と導光板２３との間に介在する形で配されることで、導光板２３からの出射光を透過するとともにその透過光に所定の光学作用を付与しつつ液晶パネル１１に向けて出射させる。光学部材１９は、複数枚（本実施形態では４枚）が備えられ、その具体的な種類としては、例えば拡散シート、レンズシート（プリズムシート）、反射型偏光シート、レンズ拡散板などがあり、これらの中から適宜に選択して使用することが可能である。フレーム２０は、横長の枠状をなしており、光学部材１９及び導光板２３の外周縁部をほぼ全周にわたって表側から押さえて支持するとともに、液晶パネル１１の外周縁部をほぼ全周にわたって裏側から受けて支持する。
【００１７】
ＬＥＤ２１は、図２に示すように、ＬＥＤ基板２２に固着される基板部上にＬＥＤチップを封止材により封止した構成とされる。ＬＥＤ２１は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ２１は、自身の発光面２１Ａとは反対側の面が次述するＬＥＤ基板２２に実装されており、いわゆる上面発光型とされる。
【００１８】
ＬＥＤ基板２２は、図２に示すように、Ｘ軸方向に沿って延在する板状をなしており、その板面がＸ軸方向及びＺ軸方向に並行する姿勢でシャーシ１８内に収容される。ＬＥＤ基板２２は、複数のＬＥＤ２１が実装される実装面が次述する導光板２３の端面（入光端面２３Ａ）と対向する形で配されるとともに、ＬＥＤ２１の実装面とは反対側の板面がシャーシ１８の側部１８Ｂに接する形で取り付けられている。ＬＥＤ基板２２におけるＬＥＤ２１の実装面には、金属膜（銅箔など）からなり、各ＬＥＤ２１の端子などに接続される配線パターン（図示せず）が形成されている。ＬＥＤ２１は、ＬＥＤ基板２２における実装面においてＸ軸方向に沿って複数が間隔を空けて並んで配されている。ＬＥＤ基板２２には、図示しない給電用コネクタが設けられており、この給電用コネクタにバックライト用フレキシブルフラットケーブル（光源給電部品）２５の一端側が接続されている。バックライト用フレキシブルフラットケーブル２５は、その他端側がシャーシ１８の外部に引き出されるとともにコントロール基板１４に接続されている（図３を参照）。バックライト用フレキシブルフラットケーブル２５は、互いに並行する複数の配線部を絶縁性及び可撓性を有する合成樹脂製のフィルムにより挟み込んだ構成とされる。
【００１９】
導光板２３は、ほぼ透明な合成樹脂材料（例えばＰＭＭＡなどのアクリル樹脂やポリカーボネートなど）とされ、屈折率が空気よりも十分に高くなっている。導光板２３は、図２に示すように、液晶パネル１１などと同様に横長の板状をなしていてシャーシ１８によりその周りが取り囲まれた形で収容されるとともに、液晶パネル１１及び光学部材１９の直下位置に配されている。導光板２３は、その外周端面のうち一方（図２に示す左側）の長辺側の端面が、ＬＥＤ２１と対向状をなしていてＬＥＤ２１からの光が入射される入光端面（光源対向端面）２３Ａとされる。導光板２３は、表裏一対の板面のうち、表側（液晶パネル１１側）を向いた板面が、光を液晶パネル１１に向けて出射させる出光板面２３Ｂとされ、裏側を向いた板面が出光板面２３Ｂとは反対側の出光反対板面２３Ｃとされる。このような構成により、導光板２３は、ＬＥＤ２１からＹ軸方向に沿って発せられた光を入光端面２３Ａから導入するとともに、その光を内部で伝播させた後にＺ軸方向に沿って立ち上げて出光板面２３Ｂから光学部材１９側（表側、光出射側）へ向けて出射させる機能を有している。
【００２０】
反射シート２４は、図２に示すように、導光板２３の出光反対板面２３Ｃを覆う形で配される。反射シート２４は、光反射性に優れており、導光板２３の出光反対板面２３Ｃから漏れた光を表側（出光板面２３Ｂ側）に向けて効率的に立ち上げることができる。
【００２１】
本実施形態に係る液晶表示装置１０は、図４に示すように、液晶パネル１１の駆動を制御するための表示制御部（表示パネル制御部）２６と、バックライト装置１２に備わるＬＥＤ２１の駆動を制御するためのＬＥＤ制御部（光源制御部）２７と、を少なくとも有している。表示制御部２６は、映像信号を処理する映像信号処理回路部と、映像信号処理回路部からの出力信号に基づいて各画素を駆動する画素駆動部と、を有しており、コントロール基板１４に設けられている。ＬＥＤ制御部２７は、ＬＥＤ２１を駆動するＬＥＤ駆動部を有しており、コントロール基板１４に設けられている。コントロール基板１４には、表示制御部２６及びＬＥＤ制御部２７の動作をそれぞれ制御するＣＰＵ２８が設けられている。
【００２２】
コントロール基板１４には、図２及び図３に示すように、一端側が外部のパネル用信号供給源に接続されたフレキシブル基板（パネル用信号供給源共々図示せず）の他端側に設けられたコネクタが接続されて映像信号の供給を受けるパネル用入力コネクタ２９と、一端側が外部のバックライト用信号供給源に接続されたフレキシブル基板（バックライト用信号供給源共々図示せず）の他端側に設けられたコネクタが接続されてバックライト信号の供給を受けるバックライト用入力コネクタ３０と、一端側がＬＥＤ基板２２の給電用コネクタに接続されたバックライト用フレキシブルフラットケーブル２５の他端側が接続されるバックライト用出力コネクタ３３と、が設けられている。外部のパネル用信号供給源は、元の映像信号をコントロール基板１４のパネル用入力コネクタ２９に供給するものであり、コントロール基板１４では供給された元の映像信号が処理され、処理された画像信号に基づいて液晶パネル１１に画像が表示される。外部のバックライト用信号供給源は、元のバックライト信号をコントロール基板１４のバックライト用入力コネクタ３０に供給するものであり、コントロール基板１４では供給された元のバックライト信号が処理され、処理されたＬＥＤ駆動信号に基づいてＬＥＤ２１が駆動される。
【００２３】
続いて、連結液晶表示装置５０について説明する。連結液晶表示装置５０は、図５及び図６に示すように、２つの液晶表示装置１０をＸ軸方向（並び方向）について隣り合う形で並べた上で相互に連結した構成とされる。このようにすれば、２つの液晶表示装置１０によって横長の画像を表示する上で好適となる。この連結液晶表示装置５０の具体的な用途としては、例えば電車の乗降口周りに設置されるデジタルサイネージなどに好適であり、表示する画像としては電車の路線図や広告などが好適である。
【００２４】
そして、本実施形態に係る連結液晶表示装置５０は、図５及び図６に示すように、Ｘ軸方向に沿って並ぶ２つの液晶表示装置１０が互いにＹ軸方向（並び方向と直交する並び直交方向）について天地が反転した姿勢とされている。詳しくは、Ｘ軸方向に沿って並ぶ２つの液晶表示装置１０のうちの一方の液晶表示装置１０は、パネル用フレキシブル基板１５がＹ軸方向について図５及び図６に示す上側に配される第１姿勢とされる。これに対し、Ｘ軸方向に沿って並ぶ２つの液晶表示装置１０のうちの他方の液晶表示装置１０は、パネル用フレキシブル基板１５がＹ軸方向について図５及び図６に示す下側に配されていて上記した第１姿勢に対してＹ軸方向について天地が反転した第２姿勢とされる。なお、本実施形態では、図５に示す左側（図６に示す右側）の液晶表示装置１０を第１姿勢とし、図５に示す右側（図６に示す左側）の液晶表示装置１０を第２姿勢とする。これに対し、表示制御部２６は、第１姿勢と第２姿勢との双方で液晶パネル１１に表示される画像におけるＹ軸方向についての向きが同一となるよう液晶パネル１１の駆動を制御する。このようにすれば、Ｘ軸方向について隣り合う液晶表示装置１０が互いに反転した姿勢で連結されていても、隣り合う液晶表示装置１０の各液晶パネル１１のそれぞれに適切な画像を表示させることができる。上記したように互いに反転した姿勢で隣り合う２つの液晶表示装置１０に備わる合計４つの段部１８Ｃは、図６に示すように、連結液晶表示装置５０におけるＸ軸方向についての両端部に２つが分散配置されるとともに、連結液晶表示装置５０におけるＸ軸方向についての中央部に２つがＸ軸方向について隣接する形で配置される。
【００２５】
具体的な表示駆動に関して説明すると、表示制御部２６は、外部のパネル用信号供給源から供給される映像信号に基づいて、図６に示される第１姿勢での表示のための第１表示信号と、第２姿勢での表示のための第２表示信号と、を選択的に出力することが可能とされる。より詳しくは、外部のパネル用信号供給源から出力される映像信号には、第１表示トリガー信号と第２表示トリガー信号とのうちのいずれかが含まれており、第１表示トリガー信号が含まれていた場合には表示制御部２６は第１表示信号を出力し、第２表示トリガー信号が含まれていた場合には表示制御部２６は第２表示信号を出力する。なお、第１表示トリガー信号及び第２表示トリガー信号は、パネル用入力コネクタ２９に備わる同一端子に対して供給されるようになっており、第１表示トリガー信号及び第２表示トリガー信号のうちの一方が高い電圧値の信号とされ、他方が低い電圧値の信号とされる。外部のパネル用信号供給源が第１表示トリガー信号と第２表示トリガー信号とのうちのどちらを出力するかに関しては、設置された液晶表示装置１０の姿勢に基づいて外部のパネル用信号供給源の設定を調整することで制御することが可能とされる。従って、第１姿勢とされる図６に示す右側の液晶表示装置１０に関しては、外部のパネル用信号供給源から出力される映像信号に第１表示トリガー信号を含ませるようにすれば、表示制御部２６からは第１表示信号が出力されてパネル用フレキシブル基板１５を介して液晶パネル１１に供給される。これにより、第１姿勢とされた液晶表示装置１０の液晶パネル１１には、第１表示信号によりＹ軸方向について適切な向きの画像が表示される。一方、第２姿勢とされる図６に示す左側の液晶表示装置１０に関しては、外部のパネル用信号供給源から出力される映像信号に第２表示トリガー信号を含ませるようにすれば、表示制御部２６からは第２表示信号が出力されてパネル用フレキシブル基板１５を介して液晶パネル１１に供給される。これにより、第２姿勢とされた液晶表示装置１０の液晶パネル１１には、第２表示信号によりＹ軸方向について適切な向きの画像が表示される。このように、液晶表示装置１０の姿勢に応じて外部のパネル用信号供給源から出力される映像信号に第１表示トリガー信号と第２表示トリガー信号とのいずれを含ませるかを調整することで、液晶パネル１１に表示される画像におけるＹ軸方向について向きを適正化することができる。
【００２６】
連結液晶表示装置５０において隣り合う液晶表示装置１０同士を連結するための連結構造について詳しく説明する。この連結構造は、隣り合う液晶表示装置１０に跨る形で配されて隣り合う液晶表示装置１０を連結する連結部品５１と、隣り合う液晶表示装置１０と連結部品５１とを保持するための保持部品５２と、各液晶表示装置１０に設けられて保持部品５２を固定するための固定部３１と、を少なくとも有する。このうち、保持部品５２は、外周面にねじ山が螺刻形成された軸部を有するビスやねじなどとされる。
【００２７】
上記した連結構造のうち、液晶表示装置１０に備わる構造について説明する。液晶表示装置１０を構成するシャーシ１８の底部１８Ａにおける段部１８Ｃには、図７及び図８に示すように、上記した固定部３１に加えて、液晶表示装置１０に対して連結部品５１を位置決めするための液晶表示装置側位置決め部（表示装置側位置決め部）３２が設けられている。つまり、固定部３１及び液晶表示装置側位置決め部３２は、液晶表示装置１０の構成部品のうちの同じ部品であるシャーシ１８に設けられている。固定部３１は、段部１８Ｃを厚さ方向（Ｚ軸方向）に貫通する孔状をなしており、その内周面に対して保持部品５２が螺合可能とされる。固定部３１は、図６に示すように、段部１８Ｃにおいてその延在方向（Ｙ軸方向、並び直交方向）に沿って複数が間隔を空けて並んで配されている。具体的には、固定部３１は、段部１８Ｃにおいて延在方向についての中央位置に１つ設けられるとともに、延在方向についての両端部付近に２つずつ設けられており、合計５つが延在方向についての中央位置に対して対称状（点対称状、線対称状）に配されている。なお、これらの固定部３１に対して固定される保持部品５２は、固定部３１と同数備えられている。液晶表示装置側位置決め部３２は、図７及び図８に示すように、段部１８ＣをＺ軸方向に沿って裏側に向けて部分的に突出させる形で設けられている。液晶表示装置側位置決め部３２は、図６に示すように、段部１８Ｃにおいて延在方向に沿って複数が間隔を空けて並んで配されている。具体的には、液晶表示装置側位置決め部３２は、段部１８Ｃにおいて延在方向についての両端部付近において２つずつ並ぶ固定部３１に対して中央寄りの位置に１つずつ設けられており、合計２つが延在方向についての中央位置に対して対称状（点対称状、線対称状）に配されている。
【００２８】
そして、複数ずつの固定部３１及び液晶表示装置側位置決め部３２は、図３に示すように、液晶表示装置１０において中心１０Ｃを対称点とした点対称状に配されている。このようにすれば、連結液晶表示装置５０において隣り合う２つの液晶表示装置１０は、図６に示すように、互いに天地が反転した姿勢（第１姿勢及び第２姿勢）とされているが、各液晶表示装置１０において中心１０Ｃに対する複数ずつの固定部３１及び液晶表示装置側位置決め部３２の配置が同一となる。従って、連結液晶表示装置５０において隣り合う液晶表示装置１０が互いに反転した姿勢であっても、隣り合う液晶表示装置１０の各固定部３１に対して各保持部品５２を固定して連結部品５１の保持を図ることができる。これにより、隣り合う液晶表示装置１０において少なくとも固定部３１が設けられた部品であるシャーシ１８を共通化することができるので、低コスト化を図る上で好適となる。しかも、連結液晶表示装置５０において隣り合う液晶表示装置１０は、同一とされているので、液晶表示装置１０の製造コストをさらに低廉化させることができる。
【００２９】
連結部品５１には、図６に示すように、連結液晶表示装置５０の短辺方向（Ｙ軸方向）に沿って延在する第１連結部品５３と、連結液晶表示装置５０の長辺方向（Ｘ軸方向）に沿って延在する一対の第２連結部品５４と、が含まれている。第１連結部品５３は、連結液晶表示装置５０におけるＸ軸方向についての中央部と重畳するよう配されている。より詳しくは、第１連結部品５３は、連結液晶表示装置５０におけるＸ軸方向についての中央部において隣接配置された２つの段部１８Ｃに跨るとともにこれら２つの段部１８Ｃをほぼ全長にわたって裏側から覆う形で配されている。第１連結部品５３は、隣接する２つの段部１８Ｃと対向し且つ当接する基部５３Ａと、基部５３Ａにおける幅方向（Ｘ軸方向）についての両端部からＺ軸方向に沿って段部１８Ｃ側とは反対側（外側）に向けて突出する一対の側板部５３Ｂと、から構成される。基部５３Ａにおける幅方向についての中央位置は、隣り合う液晶表示装置１０の境界位置とほぼ一致している。
【００３０】
一対の第２連結部品５４は、図６に示すように、連結液晶表示装置５０におけるＹ軸方向についての両端部と重畳するよう配されている。より詳しくは、各第２連結部品５４は、図１０に示すように、隣接する２つの段部１８Ｃに加えてそれら段部１８Ｃが設けられた各シャーシ１８の底部１８Ａに対してその長辺方向に沿って全長にわたって裏側に重なる形で配されている。各第２連結部品５４は、図８に示すように、隣り合う液晶表示装置１０の各シャーシ１８の底部１８Ａと対向する基部５４Ａと、基部５４Ａにおける幅方向（Ｙ軸方向）についての外側の一端部からＺ軸方向に沿ってシャーシ１８側とは反対側（外側）に向けて突出する側板部５４Ｂと、からそれぞれ構成されている。一対の第２連結部品５４は、同一部品とされる。各第２連結部品５４の基部５４Ａは、図１０に示すように、長さ方向（Ｘ軸方向）についての中央部が第１連結部品５３の基部５３Ａにおける長さ方向（Ｙ軸方向）についての端部と重畳するよう配されており、その重畳部分の一部が他の大部分に対して段差状に表側に張り出す第１張出部（重畳部分）５４Ａ１とされる。この第１張出部５４Ａ１は、第１連結部品５３における第１張出部５４Ａ１との重畳部分５３Ａ１に当接されている。各第２連結部品５４の基部５４Ａにおける長さ方向についての両端部は、他の大部分に対して段差状に表側に張り出す一対ずつの第２張出部（非重畳部分）５４Ａ２とされる。これら一対ずつの第２張出部５４Ａ２は、第１連結部品５３とは非重畳となる非重畳部分であり、連結液晶表示装置５０における長辺方向についての両端部（各液晶表示装置１０におけるＸ軸方向についての第１連結部品５３側とは反対側の各端部）に対して当接されている。従って、これらの張出部５４Ａ１，５４Ａ２によって第２連結部品５４の基部５４Ａは、大部分が各液晶表示装置１０に対してＺ軸方向について間隔を空けて裏側に配されている。これにより、第２連結部品５４が各液晶表示装置１０に備えられる基板類などの部品に対して干渉し難くなる。
【００３１】
各連結部品５３，５４に備わる各基部５３Ａ，５４Ａには、図８から図１０に示すように、固定部３１に対して固定される保持部品５２を通すための固定部連通孔５５，５６がそれぞれ設けられている。これら固定部連通孔５５，５６は、各連結部品５３，５４が各液晶表示装置１０に対してＸ軸方向及びＹ軸方向について位置合わせされた状態において、各液晶表示装置１０の各固定部３１と平面に視て重畳する位置に、各固定部３１と同数配されている。具体的には、第１連結部品５３の基部５３Ａには、図６，図７及び図９に示すように、隣接配置された２つの段部１８Ｃのそれぞれに設けられた１０個の固定部３１と平面に視て重畳する位置に同数の第１固定部連通孔５５が開口形成されている。第１連結部品５３の基部５３Ａのうち、その長さ方向（Ｙ軸方向）についての両端部を除いた中央側部分、つまり第２連結部品５４とは非重畳となる非重畳部分には、６個の第１固定部連通孔５５が配されている。これら６個の第１固定部連通孔５５を通して固定部３１に固定される６個の保持部品５２は、第１連結部品５３を単独で液晶表示装置１０に対して保持するものであり、これらを区別のため「非重畳保持部品５２Ａ」と言う。
【００３２】
第１連結部品５３の基部５３Ａのうち、その長さ方向についての両端部、つまり第２連結部品５４との重畳部分５３Ａ１には、図６，図７及び図１０に示すように、４個の第１固定部連通孔５５が配されている。これに対し、第２連結部品５４の基部５４Ａのうち、その長さ方向についての中央部、つまり第１連結部品５３と重畳する第１張出部５４Ａ１には、４個の第２固定部連通孔５６が配されている。これら４個の第２固定部連通孔５６は、第１連結部品５３側の４個の第１固定部連通孔５５と連通するよう重畳配置されており、これら４個ずつの固定部連通孔５５，５６を通して固定部３１に固定される４個の保持部品５２は、第１連結部品５３及び第２連結部品５４を一括して液晶表示装置１０に対して保持するものであり、これらを区別のため「重畳保持部品５２Ｂ」と言う。さらには、第２連結部品５４の基部５４Ａのうち、その長さ方向についての両端部、つまり第１連結部品５３とは非重畳とされる一対の第２張出部５４Ａ２には、４個の第２固定部連通孔５６が配されている。これら４個の第２固定部連通孔５６を通して固定部３１に固定される４個の保持部品５２は、第２連結部品５４を単独で液晶表示装置１０に対して保持するものであり、これらを区別のため「非重畳保持部品５２Ａ」と言う。また、各連結部品５３，５４に備わる各側板部５３Ｂ，５４Ｂは、例えば連結液晶表示装置５０が設置される設置対象物（図示せず）に対して固定する際に利用可能とされる。
【００３３】
第１連結部品５３の基部５３Ａのうち、液晶表示装置側位置決め部３２と重畳する位置には、図７及び図８に示すように、液晶表示装置側位置決め部３２に対して凹凸嵌合される連結部品側位置決め部５７が設けられている。連結部品側位置決め部５７は、基部５３Ａを厚さ方向（Ｚ軸方向）に貫通する孔状をなしており、その内側に突起状をなす液晶表示装置側位置決め部３２が嵌合されるようになっている。連結部品側位置決め部５７は、Ｘ軸方向及びＹ軸方向について間隔を空けた位置に合計で４つ、各段部１８Ｃの各液晶表示装置側位置決め部３２と重畳するよう配されている。組み付けに際しては、液晶表示装置側位置決め部３２及び連結部品側位置決め部５７を凹凸嵌合させることで、各液晶表示装置１０に対する第１連結部品５３のＸ軸方向及びＹ軸方向（液晶表示装置１０の表示面に沿う方向）についての位置決めを図ることができる。
【００３４】
第１連結部品５３の基部５３Ａにおける第２連結部品５４に対する重畳部分５３Ａ１には、図７及び図８に示すように、第１連結部品側位置決め部５８が設けられている。第１連結部品側位置決め部５８は、基部５３ＡをＺ軸方向に沿って裏側（重畳する第２連結部品５４）に向けて部分的に突出させる形で設けられている。これに対し、第２連結部品５４の基部５４Ａにおける第１張出部５４Ａ１には、第１連結部品側位置決め部５８が凹凸嵌合される第２連結部品側位置決め部５９が設けられている。第２連結部品側位置決め部５９は、第１張出部５４Ａ１を厚さ方向に貫通する孔状をなしており、その内側に突起状をなす第１連結部品側位置決め部５８が嵌合されるようになっている。第１連結部品側位置決め部５８及び第２連結部品側位置決め部５９は、第１連結部品５３における長さ方向についての端部を液晶表示装置１０に対して保持させるための４つの保持部品５２（２つずつの非重畳保持部品５２Ａ及び重畳保持部品５２Ｂ）に対して平面に視て中心となる位置に配されている。組み付けに際しては、第１連結部品側位置決め部５８及び第２連結部品側位置決め部５９を凹凸嵌合させることで、第１連結部品５３に対する第２連結部品５４のＸ軸方向及びＹ軸方向についての位置決めを図ることができる。
【００３５】
本実施形態は以上のような構造であり、続いて連結液晶表示装置５０の組付方法について説明する。まず、図１１に示すように、２つの液晶表示装置１０のうちの一方を第１姿勢とし、他方を第２姿勢としつつ、それらの液晶表示装置１０をＸ軸方向について隣り合うよう配置する。この状態で互いに隣接する２つの段部１８Ｃに対して重畳するよう第１連結部品５３の組み付けを行う。このとき、第１連結部品５３の連結部品側位置決め部５７を、各液晶表示装置１０の液晶表示装置側位置決め部３２に対して凹凸嵌合させることで、図１２に示すように、第１連結部品５３が各液晶表示装置１０に対してＸ軸方向及びＹ軸方向について位置決めされる（図８を参照）。この状態では、第１連結部品５３の各第１固定部連通孔５５が、各液晶表示装置１０において対応する各固定部３１に対して連通しているので、各第１固定部連通孔５５に各非重畳保持部品５２Ａを通しつつ各固定部３１に対して各非重畳保持部品５２Ａを固定する。これにより、第１連結部品５３が各液晶表示装置１０を連結した状態で保持される。
【００３６】
続いて、一対の第２連結部品５４を、各液晶表示装置１０及び第１連結部品５３に対してそれぞれ組み付ける。このとき、第２連結部品５４の第２連結部品側位置決め部５９を、第１連結部品５３の第１連結部品側位置決め部５８に対して凹凸嵌合させることで、図６に示すように、第２連結部品５４が第１連結部品５３並びに各液晶表示装置１０に対してＸ軸方向及びＹ軸方向について位置決めされる（図８を参照）。この状態では、第２連結部品５４の各第２固定部連通孔５６が、第１連結部品５３において対応する各第１固定部連通孔５５や各液晶表示装置１０において対応する各固定部３１に対してそれぞれ連通している。従って、各第２固定部連通孔５６に各非重畳保持部品５２Ａ及び各重畳保持部品５２Ｂを通しつつ各固定部３１に対して各非重畳保持部品５２Ａ及び各重畳保持部品５２Ｂを固定する。これにより、第２連結部品５４が第１連結部品５３と共に各液晶表示装置１０を連結した状態で保持される。このとき、各重畳保持部品５２Ｂは、第１連結部品５３及び第２連結部品５４を一括して各液晶表示装置１０に対して保持しているので、仮に全ての保持部品を非重畳保持部品５２Ａとした場合に比べると、組付工数及び部品点数などの削減を図る上で好適となっている。
【００３７】
以上説明したように本実施形態の連結液晶表示装置（連結表示装置）５０は、互いに隣り合うよう並んでいて複数ずつの固定部３１が設けられる複数の液晶表示装置（表示装置）１０と、隣り合う液晶表示装置１０に跨る形で配されて隣り合う液晶表示装置１０を連結する連結部品５１と、固定部３１に対して固定されることで隣り合う液晶表示装置１０と連結部品５１とを保持する複数の保持部品５２と、を備えており、複数ずつの固定部３１は、それぞれの液晶表示装置１０において中心１０Ｃを対称点とした点対称状に配されている。
【００３８】
このようにすれば、隣り合う複数の液晶表示装置１０に画像が表示されるので、単独の液晶表示装置１０での表示に比べると、大画面での表示が可能となる。隣り合う液晶表示装置１０に設けられた複数ずつの固定部３１に複数の保持部品５２が固定されることで、隣り合う液晶表示装置１０と隣り合う液晶表示装置１０に跨る形で配される連結部品５１との保持が図られる。ここで、例えば液晶表示装置１０の部品交換などを行う場合には、保持部品５２を取り外して連結部品５１による液晶表示装置１０同士の連結状態を解除すればよく、利便性に優れる。そして、複数ずつの固定部３１は、それぞれの液晶表示装置１０において中心１０Ｃを対称点とした点対称状に配されているから、例えば隣り合う液晶表示装置１０のいずれか一方を他方に対して反転させても、隣り合う液晶表示装置１０の各固定部３１に対して各保持部品５２を固定して連結部品５１の保持を図ることができる。従って、隣り合う液晶表示装置１０において少なくとも固定部３１が設けられた部品であるシャーシ１８を共通化することが可能となるので、低コスト化を図る上で好適となる。また、従来では、ディスプレイの背面に固定される固定用パネルと、固定用パネルが取り付けられる梯子状の架台と、を要していたのに比べると、本実施形態では、部品点数を削減することができるとともに、大幅な軽量化を図ることができる。
【００３９】
また、隣り合う液晶表示装置１０と連結部品５１とには、互いに凹凸嵌合される液晶表示装置側位置決め部（表示装置側位置決め部）３２と連結部品側位置決め部５７とがそれぞれ設けられており、液晶表示装置側位置決め部３２は、対称点（中心１０Ｃ）に関して点対称状に複数配されている。このようにすれば、隣り合う液晶表示装置１０を連結部品５１により連結する際には、液晶表示装置側位置決め部３２と連結部品側位置決め部５７とを凹凸嵌合することで相互の位置決めを図ることができるので、組付作業性に優れる。しかも、液晶表示装置側位置決め部３２は、対称点（中心１０Ｃ）に関して点対称状に配されているので、例えば隣り合う液晶表示装置１０のいずれか一方を他方に対して反転させれば、隣り合う液晶表示装置１０の液晶表示装置側位置決め部３２に対して連結部品側位置決め部５７を凹凸嵌合することができる。従って、隣り合う液晶表示装置１０において少なくとも液晶表示装置側位置決め部３２が設けられた部品であるシャーシ１８を共通化することが可能となるので、低コスト化を図る上でより好適となる。また、従来では、ディスプレイの外周面を窪ませて形成された取付部に対する位置決め部材の装着の仕方を異ならせて位置決めのための凹部及び凸部を形成しているため、作業が繁雑になりがちなのに比べると、本実施形態では、液晶表示装置１０の外周面を窪ませる必要がなく、複雑な形状の位置決め部材も不要になり、さらには組付作業性も良好となる。
【００４０】
また、固定部３１及び液晶表示装置側位置決め部３２は、液晶表示装置１０における同じ部品であるシャーシ１８に設けられている。このようにすれば、液晶表示装置１０における同じ部品であるシャーシ１８に設けられる固定部３１と液晶表示装置側位置決め部３２との位置精度が高くなるので、液晶表示装置側位置決め部３２及び連結部品側位置決め部５７によって隣り合う液晶表示装置１０と連結部品５１とを位置決めすれば、保持部品５２を固定部３１に対してスムーズに固定することができる。
【００４１】
また、連結部品５１には、液晶表示装置１０の並び方向と直交する並び直交方向に沿って延在する第１連結部品５３と、並び方向に沿って延在する第２連結部品５４と、の少なくとも一方が含まれる。並び直交方向に沿って延在する第１連結部品５３によれば、隣り合う液晶表示装置１０の境界となる部分同士をより強固に連結することができる。並び方向に沿って延在する第２連結部品５４によれば、液晶表示装置１０の補強を図りつつ隣り合う液晶表示装置１０同士を連結することができる。
【００４２】
また、連結部品５１には、第１連結部品５３と第２連結部品５４とが含まれる。このようにすれば、第１連結部品５３及び第２連結部品５４により隣り合う液晶表示装置１０を連結状態に保つことができるから、連結状態を強固なものとしつつ各液晶表示装置１０の補強を図ることができる。
【００４３】
また、第１連結部品５３及び第２連結部品５４は、一部同士が重畳するよう配されており、保持部品５２には、第１連結部品５３及び第２連結部品５４の重畳部分（重畳部分５３Ａ１及び第１張出部５４Ａ１）と液晶表示装置１０とを保持する重畳保持部品５２Ｂが少なくとも含まれる。このようにすれば、重畳保持部品５２Ｂによって第１連結部品５３及び第２連結部品５４の重畳部分（重畳部分５３Ａ１及び第１張出部５４Ａ１）を液晶表示装置１０に対して保持することで、保持部品５２の設置数を削減することができる。
【００４４】
また、第１連結部品５３及び第２連結部品５４は、一部同士が重畳するよう配されており、保持部品５２には、第１連結部品５３及び第２連結部品５４の非重畳部分と液晶表示装置１０とを保持する非重畳保持部品５２Ａが少なくとも含まれる。このようにすれば、非重畳保持部品５２Ａによって第１連結部品５３と第２連結部品５４とを液晶表示装置１０に対して個別に保持することができる。
【００４５】
また、第１連結部品５３と第２連結部品５４とには、互いに凹凸嵌合される第１連結部品側位置決め部５８と第２連結部品側位置決め部５９とがそれぞれ設けられている。このようにすれば、隣り合う液晶表示装置１０を第１連結部品５３及び第２連結部品５４により連結する際には、第１連結部品側位置決め部５８と第２連結部品側位置決め部５９とを凹凸嵌合することで第１連結部品５３及び第２連結部品５４同士の位置決めを図ることができるので、組付作業性に優れる。
【００４６】
また、連結部品５１には、少なくとも第２連結部品５４が含まれており、第２連結部品５４は、液晶表示装置１０における並び方向についての両端部と重畳するよう配される。このようにすれば、液晶表示装置１０における並び方向についての両端部と重畳する第２連結部品５４により液晶表示装置１０をより強固に補強することができる。
【００４７】
また、連結部品５１には、少なくとも第２連結部品５４が含まれており、第２連結部品５４は、並び直交方向について離間した位置に一対配される。このようにすれば、並び直交方向について離間した位置に配される一対の第２連結部品５４によって並び方向について隣り合う液晶表示装置１０をより安定的に連結することができる。
【００４８】
また、一対の第２連結部品５４は、同一とされる。このようにすれば、仮に一対の第２連結部品を異ならせた場合に比べると、第２連結部品５４に係る製造コストに関して低廉化を図ることができる。
【００４９】
また、隣り合う液晶表示装置１０は、同一とされる。このようにすれば、仮に隣り合う液晶表示装置を異ならせた場合に比べると、液晶表示装置１０に係る製造コストに関して低廉化を図ることができる。
【００５０】
＜実施形態２＞
本発明の実施形態２を図１３によって説明する。この実施形態２では、第１連結部品１５３と第２連結部品１５４との位置決め構造を変更したものを示す。なお、上記した実施形態１と同様の構造、作用及び効果について重複する説明は省略する。
【００５１】
第１連結部品１５３と第２連結部品１５４との位置決め構造である第１連結部品側位置決め部１５８及び第２連結部品側位置決め部１５９は、図１２に示すように、１つの第２連結部品１５４に対して２つずつ設けられている。詳しくは、第１連結部品側位置決め部１５８は、第２連結部品１５４を構成する基部１５４Ａの第１張出部１５４Ａ１に対してＹ軸方向について連結液晶表示装置１５０の端寄りに配されている。第１連結部品側位置決め部１５８は、第１連結部品１５３を構成する基部１５３Ａの各重畳部分１５３Ａ１における幅方向についての両端部から裏側に向けて突出する形で一対ずつ設けられており、縦長の突片状をなしている。第２連結部品側位置決め部１５９は、第２連結部品１５４を構成する基部１５４Ａのうち一対の第１連結部品側位置決め部１５８と重畳する位置に開口形成されており、縦長のスリット状をなしている。このような構成であっても、上記した実施形態１と同様に、第１連結部品１５３と第２連結部品１５４とを位置決めすることができる。
【００５２】
＜他の実施形態＞
本発明は上記記述及び図面によって説明した実施形態に限定されるものではなく、例えば次のような実施形態も本発明の技術的範囲に含まれる。
（１）上記した各実施形態では、連結部品が第１連結部品と第２連結部品とを含む場合を示したが、第１連結部品と第２連結部品とのいずれか一方を省略することも可能である。
（２）上記した各実施形態では、一対の第２連結部品を用いた場合を示したが、第２連結部品の使用数を１つまたは３つ以上に変更することも可能である。
（３）上記した各実施形態では、１つの第１連結部品を用いた場合を示したが、第１連結部品の使用数を複数に変更することも可能である。これには、連結液晶表示装置の短辺方向について第１連結部品を複数に分割した場合が含まれる。
（４）上記した各実施形態では、第２連結部品が連結液晶表示装置における短辺方向についての端部に配される場合を示したが、それ以外にも連結液晶表示装置における短辺方向についての第２連結部品の配置を適宜に変更することが可能である。
（５）上記した各実施形態では、保持部品としてビスやねじを用いた場合を示したが、それ以外にも保持部品としてボルトやリベットなどを用いることも可能である。
（６）上記した各実施形態以外にも、保持部品及び固定部の具体的な設置数や平面配置などは適宜に変更可能である。また、保持部品に含まれる重畳保持部品及び非重畳保持部品の数についても適宜に変更可能である。また、重畳保持部品と非重畳保持部品とのいずれか一方を省略することも可能である。
（７）上記した各実施形態では、固定部及び液晶表示装置側位置決め部が同じシャーシに設けられた場合を示したが、固定部と液晶表示装置側位置決め部とが液晶表示装置において異なる構成部品に設けられていても構わない。
（８）上記した各実施形態では、液晶表示装置側に突起状（凸状）の液晶表示装置側位置決め部を、第１連結部品側に孔状（凹状）の連結部品側位置決め部を、それぞれ設けた場合を示したが、液晶表示装置側位置決め部と連結部品側位置決め部との凹凸関係を逆転させることも勿論可能である。また、液晶表示装置側位置決め部及び連結部品側位置決め部の具体的な設置数についても適宜に変更可能である。
（９）上記した各実施形態では、液晶表示装置に対する第１連結部品の位置決め構造を備える場合を示したが、液晶表示装置に対して第２連結部品を位置決めするための位置決め構造を設置することも可能である。また、液晶表示装置に対する連結部品の位置決め構造を省略することも可能である。
（１０）上記した各実施形態では、第１連結部品側に突起状（凸状）の第１連結部品側位置決め部を、第２連結部品側に孔状（凹状）の第２連結部品側位置決め部を、それぞれ設けた場合を示したが、第１連結部品側位置決め部と第２連結部品側位置決め部との凹凸関係を逆転させることも勿論可能である。また、第１連結部品側位置決め部及び第２連結部品側位置決め部の具体的な設置数についても適宜に変更可能である。
（１１）上記した各実施形態では、連結液晶表示装置を構成する２つの液晶表示装置が同一とされる場合を示したが、２つの液晶表示装置の構成部品が全て同一である必要はない。例えば基幹部品（液晶パネル、光学部材、シャーシ、導光板、反射シート、ＬＥＤ基板など）を同一とすればコスト低減効果は十分に得られるので、基幹部品以外の周辺部品を異ならせる（非同一とする）ことも可能である。なお、液晶表示装置におけるどの構成部品を共通化させるかは、上記以外にも適宜に変更可能である。
（１２）上記した各実施形態では、２つの液晶表示装置が並ぶ構成の連結液晶表示装置を示したが、３つ以上の液晶表示装置が並ぶ構成の連結液晶表示装置であっても構わない。
（１３）上記した各実施形態では、液晶表示装置がベゼルを備えていて、ベゼルが額縁部を構成する場合を示したが、ベゼルを備えない液晶表示装置にも本発明は適用可能である。例えば液晶表示装置が液晶パネルを保護するためのカバーガラス（保護パネル）を有しており、そのカバーガラスが表示部を取り囲むよう額縁状をなす遮光部を有する構成とされる場合には、遮光部が額縁部を構成する。
（１４）上記した各実施形態では、液晶表示装置を構成するバックライト装置に備わるＬＥＤ基板（ＬＥＤ）がシャーシに固定される場合を示したが、ＬＥＤ基板がシャーシに対して着脱可能な構成を採ることも可能である。その場合は、シャーシやベゼルなどにおける側面にＬＥＤ基板の着脱を許容するための着脱口を開口形成するのが好ましい。
（１５）上記した各実施形態では、液晶表示装置及び液晶パネルの平面形状が方形とされる場合を示したが、液晶表示装置及び液晶パネルにおける任意の角部が丸められた形状であっても「方形」に含まれる。
（１６）上記した各実施形態では、導光板の１つの入光端面と１枚のＬＥＤ基板が対向状に配される場合を示したが、導光板の１つの入光端面と複数枚のＬＥＤ基板が対向状に配されていても構わない。
（１７）上記した各実施形態では、片側入光タイプのバックライト装置について示したが、両側入光タイプのバックライト装置であっても構わない。さらには、導光板の外周端面のうちの３つの端面が入光端面となるようＬＥＤ及びＬＥＤ基板を配置したり、導光板の外周端面が全周にわたって入光端面となるようＬＥＤ及びＬＥＤ基板を配置したりすることも可能である。
（１８）上記した各実施形態以外にも、パネル用フレキシブル基板の設置数や配置などは適宜に変更可能である。また、上記した各実施形態に記載したバックライト用フレキシブルフラットケーブルに代えてバックライト用フレキシブル基板を用いることも可能である。
（１９）上記した各実施形態では、コントロール基板にパネル用入力コネクタ及びバックライト用入力コネクタをそれぞれ別途に設置した場合を示したが、コントロール基板に単一の入力コネクタを設置し、その入力コネクタに映像信号とバックライト信号とが供給されるようにすることも可能である。
（２０）上記した各実施形態以外にも、バックライト装置に用いる光学シートの具体的な枚数、種類、積層順などは適宜に変更可能である。
（２１）上記した各実施形態では、上面発光型のＬＥＤを示したが、側面発光型のＬＥＤを光源として用いることも可能である。また、ＬＥＤ以外の光源（有機ＥＬなど）を用いることも可能である。
（２２）上記した各実施形態以外にも、連結液晶表示装置の具体的な用途は適宜に変更可能である。
（２３）上記した各実施形態では、表示パネルとして液晶パネルを例示したが、他の種類の表示パネル（ＭＥＭＳ（Micro Electro Mechanical Systems）表示パネルなど）にも本発明は適用可能である。
【符号の説明】
【００５３】
１０…液晶表示装置（表示装置）、１０Ｃ…中心（対称点）、１８…シャーシ（部品）、３１…固定部、３２…液晶表示装置側位置決め部（表示装置側位置決め部）、５０，１５０…連結液晶表示装置（連結表示装置）、５１…連結部品、５２…保持部品、５２Ａ…非重畳保持部品、５２Ｂ…重畳保持部品、５３，１５３…第１連結部品、５３Ａ１，１５３Ａ１…重畳部分、５４，１５４…第２連結部品、５４Ａ１，１５４Ａ１…第１張出部（重畳部分）、５４Ａ２…第２張出部（非重畳部分）、５７…連結部品側位置決め部、５８，１５８…第１連結部品側位置決め部、５９，１５９…第２連結部品側位置決め部
【図１】
2019174717.tif 000003
【図２】
2019174717.tif 000004
【図３】
2019174717.tif 000005
【図４】
2019174717.tif 000006
【図５】
2019174717.tif 000007
【図６】
2019174717.tif 000008
【図７】
2019174717.tif 000009
【図８】
2019174717.tif 000010
【図９】
2019174717.tif 000011
【図１０】
2019174717.tif 000012
【図１１】
2019174717.tif 000013
【図１２】
2019174717.tif 000014
【図１３】
2019174717.tif 000015